(57)【特許請求の範囲】
【請求項１】
構造物中のＶ字状の溝に、所定のパテ剤を注入する吐出装置であって、
前記所定のパテ剤が内部に充填され、一端に開口部が形成された充填部と、
部分円錐状の外形を有する筒状体であり、径大な基端部が、前記充填部の前記開口部側に取付け可能であると共に、径小な先端部に、前記基端部から前記先端部に向かう方向を基準としてテーパ状の注入口が形成された注入部と、
前記注入口の周縁のうち、前記基端部側に位置する領域のある前記注入部の側面に設けられると共に、側面視で、前記構造物の対象面に対して、前記注入部を傾けて支持するガイド部と、
前記充填部から前記注入部に向けて、前記所定のパテ剤を供給せしめる供給部とを備え、
前記ガイド部は、その少なくとも一部が、前記溝の底面に当接した状態で、同溝の底面に対して前記注入部を支持し、
前記注入部及び前記ガイド部は、前記構造物における前記溝の上部と繋がった端面と当接することなく前記溝の内側に挿入可能に構成された
吐出装置。
【請求項２】
前記ガイド部は、前記注入部における前記注入口の位置から前記基端部に向けて、同注入口と同基端部を結ぶ長さの半分以上に渡って形成された
請求項１に記載の吐出装置。
【請求項３】
前記ガイド部は、前記注入部の軸心と、前記対象面とがなす角度が、３５度〜５５度の範囲内となるように、前記注入部を支持する
請求項１または請求項２に記載の吐出装置。
【請求項４】
前記ガイド部は、前記注入部の軸心と、前記対象面とがなす角度が、４０度〜５０度の範囲内となるように、前記注入部を支持する
請求項３に記載の吐出装置。
【請求項５】
前記供給部は、前記充填部及び前記注入部を取り付け可能に構成され、前記注入部の前記基端部側に対応する位置に凹状の嵌合受け部が形成され、
前記注入部の前記基端部側には、前記嵌合受け部に嵌合して、前記注入部の軸心を中心とした回転を規制する嵌合部が形成された
請求項１〜４のいずれかに記載の吐出装置。
【請求項６】
前記ガイド部は、その厚みが、前記Ｖ字状の溝の幅以下に形成された
請求項１〜５のいずれかに記載の吐出装置。
【請求項７】
構造物中のＶ字状の溝に、所定のパテ剤を注入して、対象面を調整する下地処理構造体であって、
前記所定のパテ剤が内部に充填され、一端に開口部が形成された充填部と、部分円錐状の外形を有する筒状体であり、径大な基端部が、前記充填部の前記開口部側に取付け可能であると共に、径小な先端部に、前記基端部から前記先端部に向かう方向を基準としてテーパ状の注入口が形成された注入部と、前記注入口の周縁のうち、前記基端部側に位置する領域のある前記注入部の側面に設けられると共に、側面視で、前記構造物の対象面に対して、前記注入部を傾けて支持するガイド部と、前記充填部から前記注入部に向けて、前記所定のパテ剤を供給せしめる供給部とを有する吐出装置と、
前記Ｖ字状の溝に注入された前記所定のパテ剤のうち、余分なパテ剤を削る切削装置とを備え、
前記ガイド部は、その少なくとも一部が、前記溝の底面に当接した状態で、同溝の底面に対して前記注入部を支持し、
前記注入部及び前記ガイド部は、前記構造物における前記溝の上部と繋がった端面と当接することなく前記溝の内側に挿入可能に構成された
下地処理構造体。
【請求項８】
構造物中のＶ字状の溝に、所定のパテ剤を注入して、前記Ｖ字状の溝または前記孔部を調整する下地処理方法であって、
先端にテーパ状の注入口が形成された注入部を、側面視で、前記構造物の対象面に対して傾けて支持し、前記Ｖ字状の溝または前記孔部に、前記注入口を向ける配置工程と、
前記所定のパテ剤を前記注入口から、前記Ｖ字状の溝または前記孔部に向けて注入する注入工程とを備え、
前記配置工程は、前記注入部及び同注入部の側面に形成されたガイド部を、前記構造物における前記溝の上部と繋がった端面と当接することなく前記溝の内側に挿入すると共に、前記ガイド部の少なくとも一部を、前記溝の底面に当接させた状態で、同溝の底面に対して前記注入部を支持する
下地処理方法。
【請求項９】
前記配置工程は、前記注入部の軸心と、前記対象面とがなす角度が、３５度〜５５度の範囲内となるように、前記注入部を支持する
請求項８に記載の下地処理方法。
【請求項１０】
前記注入工程で注入された前記所定のパテ剤のうち、余分なパテ剤を切削装置で削る切削工程とを備える
請求項８または請求項９に記載の下地処理方法。
【発明の詳細な説明】
【技術分野】
【０００１】
本発明は吐出装置、下地処理構造体及び下地処理方法に関する。詳しくは、構造物中のＶ字状の溝またはビス用の孔部に、簡易かつ正確にパテ剤を充填できると共に、作業効率を高めることができる吐出装置、下地処理構造体及び下地処理方法に係るものである。
【背景技術】
【０００２】
内装の下地処理や、建築物の外壁、水回りや台所等の下地処理において、構造物中のＶ字状の溝や、ビス用の孔部等の凹んだ部分に対して、流動性のあるパテ剤を充填し、これを乾燥させて余分な剤を削り、対象面を平坦化する作業が行われている。
【０００３】
例えば、非特許文献１に記載された内装の下地処理方法では、下地ボード間にあるＶ字状の溝に、水性のパテ剤を充填し、Ｖ字状の溝をパテ剤で埋める処理が行われている。
【０００４】
この非特許文献１に記載された下地処理方法では、粉末状の水性のパテ剤を水に溶かし、パテベラとパテ盆を用いて、作業者が手作業で、Ｖ字状の溝にパテ剤を塗って、溝を埋めることが行われている。
【０００５】
また、パテ剤は平らになるまでかけることが前提となり、通常、手作業で、下塗り、中塗り、及び、上塗りの３回で仕上げるものとなっている。
【先行技術文献】
【非特許文献】
【０００６】
【非特許文献１】非特許文献1："ｍｉｒａｉｅ（パテのかけ方下塗り・中塗り・上塗りの基本の理解とボードのジョイントについて)"、[online]、［令和２年９月１７日検索］、インターネット<URL: https://miraie.me/articles/281/ >
【発明の概要】
【発明が解決しようとする課題】
【０００７】
しかしながら、非特許文献１に記載された下地処理方法をはじめ、Ｖ字状の溝等の凹んだ箇所にパテ剤を塗って、対象面を平坦化する作業においては、時間の経過と共に、パテ剤の水分が失われて、パテ剤を塗った箇所がへこむ、所謂、パテ剤がやせる現象が生じてしまう。
【０００８】
そのため、Ｖ字状の溝等の凹んだ箇所に、２〜３回、繰り返しパテ剤を塗る必要があり、作業効率の悪いものとなっていた。また、手作業でのパテ塗りでは、凹んだ箇所とその周辺に重点的にパテ剤を塗ることは困難であった。
【０００９】
また、パテ剤を手作業で塗る従前の方法では、対象面の仕上がりが、作業者の熟練度によるところが大きく、経験の少ない作業者にとっては、所望の量のパテ剤を塗って、凹んだ箇所をきれいに仕上げることが困難であった。
【００１０】
本発明は、以上の点に鑑みて創案されたものであり、構造物中のＶ字状の溝またはビス用の孔部に、簡易かつ正確にパテ剤を充填できると共に、作業効率を高めることができる吐出装置、下地処理構造体及び下地処理方法を提供することを目的とする。
【課題を解決するための手段】
【００１１】
上記の目的を達成するために、本発明の吐出装置は、構造物中のＶ字状の溝またはビス用の孔部に、所定のパテ剤を注入する吐出装置であって、前記所定のパテ剤が内部に充填され、一端に開口部が形成された充填部と、部分円錐状の外形を有する筒状体であり、径大な基端部が、前記充填部の前記開口部側に取付け可能であると共に、径小な先端部に、前記基端部から前記先端部に向かう方向を基準としてテーパ状の注入口が形成された注入部と、前記注入口の周縁のうち、前記基端部側に位置する領域のある前記注入部の側面に設けられると共に、側面視で、前記構造物の対象面に対して、前記注入部を傾けて支持するガイド部と、前記充填部から前記注入部に向けて、前記所定のパテ剤を供給せしめる供給部とを備える。
【００１２】
ここで、所定のパテ剤が内部に充填され、一端に開口部が形成された充填部と、部分円錐状の外形を有する筒状体であり、径大な基端部が、充填部の前記開口部側に取付け可能であると共に、径小な先端部に注入口が形成された注入部と、充填部から前記注入部に向けて、所定のパテ剤を供給せしめる供給部によって、構造物の対象面にあるＶ字状の溝またはビス用の孔部に向けて、パテ剤を注入することができる。即ち、供給部を介して充填部から注入部に向けてパテ剤が供給され、注入部からパテ剤を排出して、Ｖ字状の溝またはビス用の孔部に、パテ剤を入れることができる。
【００１３】
また、注入部の径小な先端部に、基端部から先端部に向かう方向を基準としてテーパ状の注入口が形成されたことによって、注入口を形成する面を、Ｖ字状の溝またはビス用の孔部に対向させ、注入口から溝等に向けて、真っすぐにパテ剤を流し込みやすくなり、パテ剤を溝等に、より正確に入れることが可能となる。
【００１４】
また、ガイド部が、注入口の周縁のうち、基端部側に位置する領域のある注入部の側面に設けられると共に、側面視で、構造物の対象面に対して、注入部を傾けて支持することによって、ガイド部を溝のある方に位置させて、対象面に対して、注入口を斜めに傾けた状態で、パテ剤を溝に向けて注入可能となる。即ち、例えば、溝にガイド部の下端をはめ込んで、溝に対して注入口の位置をずれにくくした状態で、溝にパテ剤を正確に注入することが可能となる。
【００１５】
また、ガイド部が、注入部の軸心と、対象面とがなす角度が、３５度〜５５度の範囲内となるように、注入部を支持する場合には、溝に対する注入口の位置が、適当な位置になり、より一層、溝に対して真っすぐにパテ剤を流し込みやすくなる。これにより、溝の底部から上部まで、隙間なく充分にパテ剤を入れることが可能となる。また、注入口を形成する面の方向において、溝に対する注入口の位置がずれにくくなり、溝にパテ剤を正確に注入することが可能となる。
【００１６】
また、一方で、ガイド部が、注入部の軸心と、対象面とがなす角度が、３５度未満となるように、注入部を支持する場合には、溝に対して、注入口が離間しやすくなり、溝に対して真っすぐにパテ剤を流し込めなくなってしまう。この結果、溝の底部側にまでパテ剤が入らず、溝の上部側のみパテ剤が入り、底面側に隙間ができ、対象面を平坦化しにくくなってしまう。また、注入口を形成する面の方向において、溝に対する注入口の位置がずれやすくなり、対象面における、溝のない位置（パテ剤で埋める必要のない箇所）に、パテ剤が吐出されてしまうこととなる。
【００１７】
また、ガイド部が、注入部の軸心と、対象面とがなす角度が、５５度を超えるように、注入部を支持する場合には、溝に対して、注入口の先端部分のみが入り込みやすくなってしまう。即ち、例えば、溝にガイド部の下端が嵌まらず、注入口が不安定な状態でパテ剤を溝に注入することになる。この結果、やはり、溝の底部側にまでパテ剤が入らず、溝の上部側のみパテ剤が入り、底面側に隙間ができ、対象面を平坦化しにくくなってしまう。また、注入口を形成する面の方向において、溝に対する注入口の位置がずれやすくなり、対象面における、溝のない位置（パテ剤で埋める必要のない箇所）に、パテ剤が吐出されてしまうこととなる。
【００１８】
また、ガイド部が、注入部の軸心と、対象面とがなす角度が、４０度〜５０度の範囲内となるように、注入部を支持する場合には、より一層、溝に対する注入口の位置が、適当な位置になり、さらに、溝に対して真っすぐにパテ剤を流し込みやすくなる。
【００１９】
また、供給部が、充填部及び注入部を取り付け可能に構成され、注入部の基端部側に対応する位置に凹状の嵌合受け部が形成され、注入部の基端部側には、嵌合受け部に嵌合して、注入部の軸心を中心とした回転を規制する嵌合部が形成された場合には、嵌合部と嵌合受け部とを嵌合させて、注入部の軸心を中心とした周方向において、注入部の向きを規定することができる。即ち、より確実に、ガイド部の位置を溝のある方に位置させて、供給部に対して、充填部及び注入部を取り付けることができる。
【００２０】
また、ガイド部が、その厚みが、Ｖ字状の溝の幅以下に形成された場合には、より確実に、溝にガイド部の下端をはめ込むことが可能となる。これにより、より一層、安定して、ガイド部で注入部を支持することができる。
【００２１】
また、上記の目的を達成するために、本発明の吐出装置は、構造物中のビス用の孔部に、所定のパテ剤を注入する吐出装置であって、前記所定のパテ剤が内部に充填され、一端に開口部が形成された充填部と、略部分円錐状の外形を有する筒状体であり、径大な基端部が、前記充填部の前記開口部側に取付け可能であると共に、径小な先端部に注入口が形成された注入部と、前記充填部から前記注入部に向けて、前記所定のパテ剤を供給せしめる供給部とを備える。
【００２２】
ここで、注入部の径小な先端部に、基端部から先端部に向かう方向を基準としてテーパ状の注入口が形成されたことによって、注入口を形成する面を、ビス用の孔部に対向させ、注入口から溝等に向けて、真っすぐにパテ剤を流し込みやすくなり、パテ剤を溝等に、より正確に入れることが可能となる。
【００２３】
また、上記の目的を達成するために、本発明の下地処理構造体は、構造物中のＶ字状の溝に、所定のパテ剤を注入して、対象面を調整する下地処理構造体であって、前記所定のパテ剤が内部に充填され、一端に開口部が形成された充填部と、略部分円錐状の外形を有する筒状体であり、径大な基端部が、前記充填部の前記開口部側に取付け可能であると共に、径小な先端部に、前記基端部から前記先端部に向かう方向を基準としてテーパ状の注入口が形成された注入部と、前記注入口の周縁のうち、前記基端部側に位置する領域のある前記注入部の側面に設けられると共に、側面視で、前記構造物の対象面に対して、前記注入部を傾けて支持するガイド部と、前記充填部から前記注入部に向けて、前記所定のパテ剤を供給せしめる供給部とを有する吐出装置と、前記Ｖ字状の溝に注入された前記所定のパテ剤のうち、余分なパテ剤を削る切削装置とを備える。
【００２４】
ここで、注入部の径小な先端部に、基端部から先端部に向かう方向を基準としてテーパ状の注入口が形成されたことによって、注入口を形成する面を、Ｖ字状の溝またはビス用の孔部に対向させ、注入口から溝等に向けて、真っすぐにパテ剤を流し込みやすくなり、パテ剤を溝等に、より正確に入れることが可能となる。
【００２５】
また、ガイド部が、注入口の周縁のうち、基端部側に位置する領域のある注入部の側面に設けられると共に、側面視で、構造物の対象面に対して、注入部を傾けて支持することによって、ガイド部を溝のある方に位置させて、対象面に対して、注入口を斜めに傾けた状態で、パテ剤を溝に向けて注入可能となる。即ち、例えば、溝にガイド部の下端をはめ込んで、溝に対して注入口の位置をずれにくくした状態で、溝にパテ剤を正確に注入することが可能となる。
【００２６】
また、Ｖ字状の溝に注入された所定のパテ剤のうち、余分なパテ剤を削る切削装置によって、溝の内部に充填されずに溢れた、余分なパテ剤を効率よく除去することができる。即ち、溝に対して、局所的に、かつ、正確にパテ剤が注入されることで、溝から溢れる余分なパテ剤の量及び範囲は小さくなるため、一度にパテ剤を削れる範囲が狭い、電動のスクレーパー、手動のスクレーパー、または、電動サンダー等の切削装置を用いることが可能となる。
【００２７】
また、上記の目的を達成するために、本発明の下地処理方法は、構造物中のＶ字状の溝またはビス用の孔部に、所定のパテ剤を注入して、前記Ｖ字状の溝または前記孔部を平坦化する下地処理方法であって、先端にテーパ状の注入口が形成された注入部を、側面視で、前記構造物の対象面に対して傾けて、前記Ｖ字状の溝または前記孔部に、前記注入口を向ける配置工程と、前記所定のパテ剤を前記注入口から、前記Ｖ字状の溝または前記孔部に向けて注入する注入工程とを備える。
【００２８】
ここで、配置工程で、先端にテーパ状の注入口が形成された注入部を、Ｖ字状の溝またはビス用の孔部に向けることによって、注入口を形成する面から溝等に向けて、真っすぐにパテ剤を流し込みやすくなり、パテ剤を溝等に、より正確に入れることが可能となる。
【００２９】
また、配置工程で、先端にテーパ状の注入口が形成された注入部を、側面視で、構造物の対象面に対して傾けて支持し、Ｖ字状の溝または孔部に、注入口を向けることによって、対象面に対して、注入口を斜めに傾けた状態で、パテ剤を溝に向けて注入可能となる。即ち、例えば、溝に対して注入口の位置をずれにくくした状態で、溝にパテ剤を正確に注入することが可能となる。
【００３０】
また、配置工程で、注入部の軸心と、対象面とがなす角度が、３５度〜５５度の範囲内となるように、注入部を支持する場合には、溝に対する注入口の位置が、適当な位置になり、より一層、溝に対して真っすぐにパテ剤を流し込みやすくなる。これにより、溝の底部から上部まで、隙間なく充分にパテ剤を入れることが可能となる。また、注入口を形成する面の方向において、溝に対する注入口の位置がずれにくくなり、溝にパテ剤を正確に注入することが可能となる。
【００３１】
また、注入工程で注入された所定のパテ剤のうち、余分なパテ剤を切削装置で削る切削工程とを備える場合には、溝の内部に充填されずに溢れた、余分なパテ剤を効率よく除去することができる。
【発明の効果】
【００３２】
本発明に係る吐出装置、下地処理構造体及び下地処理方法は、構造物中のＶ字状の溝またはビス用の孔部に、簡易かつ正確にパテ剤を充填できると共に、作業効率を高めることができるものとなっている。
【図面の簡単な説明】
【００３３】
【図１】本発明を適用した吐出装置の一例である吐出装置Ａの全体構造を示す概略図である。
【図２】注入部及びガイドの構造を示す概略側面図である。
【図３】（ａ）は、ボトル本体への注入部の取り付け構造と、コーキングガンのホルダー部への注入部及びボトル本体の取り付け構造を示す概略図であり、（ｂ）は、注入部とホルダー部の嵌合状態を示す概略正面図、及び、（ｃ）は、注入部とホルダー部の嵌合状態の他の実施形態を示す概略正面図である。
【図４】吐出装置Ａを用いてＶ字状の溝にパテ剤を注入する状態を示す概略図である。
【図５】構造物の対象面と、注入部の軸心とのなす角度が小さくなった状態で、Ｖ字状の溝にパテ剤を注入する状態を示す比較概略図である。
【図６】構造物の対象面と、注入部の軸心とのなす角度が大きくなった状態で、Ｖ字状の溝にパテ剤を注入する状態を示す比較概略図である。
【図７】電動スクレーパーの構造を示した概略図である。
【図８】本発明を適用した下地処理方法の一例の流れを示す工程図である。
【図９】従前の下地処理方法の一例の流れを示す工程図である。
【発明を実施するための形態】
【００３４】
［本発明の実施の形態］
以下、本発明の実施の形態について図面を参照しながら説明し、本発明の理解に供する。
なお、以下に示す構造は、本発明を適用した吐出装置及び下地処理構造体の一例であり、本発明の内容はこれに限定されるものではなく、適宜設定変更することが可能である。
【００３５】
本発明を適用した下地処理構造体の一例である下地処理構造体は、吐出装置Ａ（図１参照）と、電動スクレーパーＢ（図７参照）を備えている。また、吐出装置Ａは、本発明を適用した吐出装置の一例である。
【００３６】
吐出装置Ａは、内装の下地ボードの間に形成されるＶ字状の溝（以下、「溝」と称する）、または、ビス用の孔部（以下、「孔部」と称する）に、水性のパテ剤を充填して、下地を平坦化する下地処理に用いられる道具である。また、電動スクレーパーＢは、図８の符号（１）で示す第１層目の充填工程において、Ｖ字状の溝に充填して、溢れたパテ剤を除去するための道具である。
【００３７】
ここで、本発明の吐出装置及び下地処理構造体の用途は、以下に示す内装の下地ボードに対する下地処理に限定されるものではなく、パテ剤を用いたその他の下地処理工程に利用できる。例えば、油性のコーキング剤（シーリング材）を吐出装置に充填して、建築物の外壁、水回りや台所等の下地処理の用途に用いることができる。
【００３８】
また、本発明において使用するパテ剤は、内装の下地処理や、建築物の外壁、水回りや台所等の下地処理に用いるパテ剤が対象となり、その種類は特に限定されるものではない。
【００３９】
また、以下の説明においては、図１を基準として、ボトル本体２から見たホルダー部１０の方向を下、または、下方と呼び、ホルダー部１０から見たボトル本体２の方向を上、または、上方と呼ぶものとする。また、図１を基準として、注入部３から見たボトル本体２の方向を基端側、または、後方側と呼び、ボトル本体２から見た注入部３の方向を先端側、または、前方側と呼ぶものとする。
【００４０】
［吐出装置Ａ］
図１に示すように、吐出装置Ａは、コーキングガン１と、ボトル本体２と、注入部３と、ガイド４を備えている。
【００４１】
なお、ここでいうコーキングガン１は、本願請求項における供給部に相当する。また、ここでいうボトル本体２は、本願請求項における充填部に相当する。また、ここでいうコ注入部３は、本願請求項における注入部に相当する。さらに、ここでいうガイド４は、本願請求項におけるガイド部に相当する。
【００４２】
ここで、コーキングガン１は、ボトル本体２及び注入部３が一体化した状態で、これを取り付ける部材であり、ボトル本体２の内部に収容されたパテ剤を、注入部３に向けて供給する装置である。
【００４３】
また、ボトル本体２は、内装の下地処理（目地埋め）に用いる水性のパテ剤（練りパテ）を内部に収容する有底の筒状部材である。
【００４４】
また、注入部３は、ボトル本体２の先端側に着脱自在に取り付けられ、ボトル本体２側から供給されるパテ剤を、外部に向けて排出する部材である。
【００４５】
また、ガイド４は、注入部３と一体化した構造体であり、注入部３から溝に向けてパテ剤を注入する際に、注入部３を支持する部材である。
【００４６】
図１に示すように、コーキングガン１は、ホルダー部１０と、ハンドル１２と、解除ボタン１３と、レバー１４を有している。また、ホルダー部１０の先端側に、嵌合溝１１が形成されている。なお、ここでいう嵌合溝１１が、本願請求項における嵌合受け部に相当する。
【００４７】
また、ホルダー部１０は、上部及び先端部の一部が切り欠かれた略半円筒状の形状を有しており、注入部３を取り付けた状態のボトル本体２を収容して、これをセットする部分となる。
【００４８】
また、ホルダー部１０は、先端方向に進むハンドル１２の圧力で、ボトル本体２の内部のパテ剤を注入部３の方に移動させる際に、ボトル本体２を収容して保持する部分となる。また、ホルダー部１０の先端部の基端側の面（符号省略）が、注入部３のフランジ３２の先端側の面と当接するように構成される（図３（ａ）の下図参照）。
【００４９】
また、ハンドル１２は、レバー１４を介して、前方に駆動可能な棒状部材である。即ち、ホルダー部１０にセットされたボトル本体２の基端面を、ハンドル１２の先端で押圧することで、ボトル本体２の内部のパテ剤を注入部３の方に移動させ、注入口３０から外部に向けてパテ剤を排出させる。
【００５０】
また、解除ボタン１３は、前後方向への移動が規制されたハンドル１２を、後方に移動可能にする際に押すボタンである。
【００５１】
なお、コーキングガン１の構造は、コーキング剤の処理に用いられる既知のコーキングガンを用いることができる。また、コーキングガン１は、手動式のコーキングガンを例示したが、本発明においてはコーキングガンの方式は限定されず、エアー式または電動式のコーキングガンを用いることもできる。
【００５２】
図３（ａ）に示すように、ボトル本体２は、先端側に外周面にねじ溝２１が形成された突出部を有している。また、突出部２２の先端には開口部２２が形成されている。このボトル本体２の突出部のねじ溝２１と、注入部３の内周面に形成されたねじ溝（図示省略）が嵌合することで、ボトル本体２に注入部３を取り付けることができる。
【００５３】
また、ボトル本体２は、軟質のプラスチック製の素材で形成されている。なお、ボトル本体２は、パテ剤を安定的に収容して、かつ、コーキングガン１でパテ剤を外部に排出できるものであれば、その構造及び材質は特に限定されない。例えば、従前のコーキング剤を充填する空きカートリッジ容器を用いることができる。
【００５４】
図２に示すように、注入部３は、先端に注入口３０が形成された部分円錐状の筒状部材である。注入口３０は、ボトル本体２側から供給されたパテ剤を外部に排出する部分である。なお、ここでいう注入口３０が、本願請求項における注入口に相当する。
【００５５】
また、注入部３の注入口３０は、円錐の先端をテーパ状３１に切断して形成されている。そのため注入口３０は、前後方向を基準に、斜めに勾配がついた開口として形成されている。このテーパ状３１の注入口３０とすることで、上下方向を基準に、注入部３を斜めに向けた状態で、注入口３０が下方に真っすぐ向くように、注入部３を配置することができる（図２参照）。
【００５６】
また、注入部３は基端部にフランジ３３が形成されている。フランジ３３は、ボトル本体２をホルダー部１０にセットした際に、ホルダー部１０の基端側の面と当接して、ハンドル１２からの押圧力を受ける部分となる。
【００５７】
また、注入部３は基端部側に、正面視した際の外形が略Ｕ字状の嵌合部３２が形成されている（図３（ｂ）参照）。この嵌合部３２は、その外周面が、ホルダー部１０の先端側の嵌合溝１１の内周面と嵌合して、注入部３の軸心Ａ（図４参照）を中心とした回転を規制する部分である（図２、図３（ａ）及び図３（ｂ）参照）。なお、ここでいう嵌合部３２が、本願請求項における嵌合部に相当する。
【００５８】
この嵌合部３２及び嵌合溝１１が嵌合して、注入部３の軸心Ａを中心とした回転が規制されることで、ホルダー部１０にボトル本体２をセットした際に、注入部３と一体化したガイド４を、注入部３の下部に位置させることができる。また、注入部３の注入口３０が下方に真っすぐ向くように、ホルダー部１０にボトル本体２及び注入部３をセットすることができる。
【００５９】
ここで、嵌合部３２及び嵌合溝１１の形状は限定されるものではなく、注入部３の軸心Ａを中心とした回転が規制できる形状となっていれば充分である。例えば、図３（ｃ）に示すように、注入部３ａの基端部側に、正面視した際の外形が略６角形の嵌合部３２ａが形成され、ホルダー部の先端部側に、略６角形の嵌合溝１１ａが形成されるものであってもよい。このような形状でも、ガイド部４ａを、注入部３の下部に位置させ、かつ、注入口３０ａが下方に真っすぐ向くように、ホルダー部１０にボトル本体２及び注入部３をセットすることができる。
【００６０】
図２、図３（ａ）及び図３（ｂ）に示すように、ガイド４は、注入部３の側面に設けられ、略三角形状を有する部材である。ガイド４は、注入口３０の基端側（図２における右側）の縁部から、注入部３の基端に向けて、一定の長さを有して形成されている（図２参照）。
【００６１】
また、ガイド４は、側面視において、略三角形状の斜辺が、注入部３の側面に沿って設けられている。また、ガイド４は、厚み方向（図２の紙面上の手前と奥を結ぶ方向）において、４ｍｍから６ｍｍ程度の大きさを有する板状体である。
【００６２】
このガイド４は、注入口３０から溝に向けてパテ剤を注入する際に、注入部３を斜めに傾けて、下方の溝に対して、注入口３０を真っすぐ向けた状態を支持する部材である。また、パテ剤を排出しながら、溝に沿って注入部３を後方に移動させる際に、注入部３を案内する部材となる。
【００６３】
この際、ガイド４の底部４０（図２、図３（ａ）及び図３（ｂ）参照）が、パテ剤を充填する前の、構造物の対象面上の溝に嵌まり、ガイド４が注入部を支持し、かつ、後方への移動時に注入部３の移動を案内するものとなる（図４参照）。
【００６４】
また、ガイド４が、注入部３を斜めに向けて指示した状態では、注入部３の軸心Ａと、構造物の対象面を構成する下地ボードＢ１及びＢ２の上面とのなす角度αは、４５度となっている（図４参照）。
【００６５】
ここで、注入部３の軸心Ａと、構造物の対象面を構成する下地ボードＢ１及びＢ２の上面とのなす角度αは、必ずしも４５度に限定される必要はない。但し、溝に対する注入口３０の位置が適当な位置になり、溝に対して真っすぐにパテ剤を流し込みやすくなる点から、角度αは、３５度〜５５度の範囲内となることが好ましい。また、同様の観点から、角度αは、４０度〜５０度の範囲内となることさらに好ましい。
【００６６】
このガイド４で、注入部３を適切な角度で支持することのメリットをより詳細に述べる。まず、図４は、本発明を適用した吐出装置Ａを介する事例である。例えば、上述したように、注入部３の軸心Ａと、構造物の対象面を構成する下地ボードＢ１及びＢ２の上面とのなす角度αを４５度している。
【００６７】
ここでは、下地ボードＢ１及びＢ２の間に形成された溝Ｖ（Ｖ字状の溝）に対して、ガイド４の底部４０が嵌まって、注入部３がガイド４により支持される。これにより、注入口３０が、下方に位置する溝Ｖに対して、真っすぐ向くようになる。これにより、溝Ｖの底部から上部まで、隙間なく充分にパテ剤Ｐを入れることができる。
【００６８】
また、注入口３０を形成する面の方向（下地ボードＢ１及びＢ２の上面と平行な面）において、溝Ｖに対する注入口３０の位置がずれにくくなり、溝Ｖにパテ剤Ｐを正確に注入することが可能となる。
【００６９】
また、注入口３０から溝Ｖに対して、パテ剤Ｐを注入しながら、注入口３及びボトル本体２を、図４の符号Ｔで示す方向に向けて移動させていく。この際、ガイド４の底部４０を、溝Ｖの幅以下の大きさとすることで、溝Ｖに底部４０が嵌まり、注入口３０をガイド４で案内しながら、パテ剤Ｐを注入することができる。
【００７０】
また、注入部３の軸心Ａと、構造物の対象面を構成する下地ボードＢ１及びＢ２の上面とのなす角度αが、適切な範囲を外れた場合の不具合について説明する。
【００７１】
例えば、注入部３の軸心Ａと、構造物の対象面を構成する下地ボードＢ１及びＢ２の上面とのなす角度α１が小さくなりすぎた場合には、溝Ｖの上部から、注入口３０が浮きやすくなってしまう（図５参照）。
【００７２】
この場合、溝Ｖに対して真っすぐにパテ剤を流し込めなくなくなり、溝Ｖの底部側（図５の符号Ｘで示す箇所）にまでパテ剤Ｐが入らなくなってしまう。これにより、溝Ｖの中に隙間ができたり、後に硬化したパテ剤Ｐが割れたりする不具合が生じる。
【００７３】
また、注入口３０を形成する面の方向において、溝Ｖに対する注入口３０の位置がずれやすくなり、対象面における、溝のない位置（パテ剤で埋める必要のない箇所）に、パテ剤Ｐが吐出されてしまうこととなる（図６（ｂ）参照）。なお、図６（ｂ）は、溝Ｖを上方から平面視した構図で、溝Ｖの符号Ｗで示す範囲から、パテ剤Ｐが外れて充填された状態を示す概略図である。
【００７４】
また、例えば、注入部３の軸心Ａと、構造物の対象面を構成する下地ボードＢ１及びＢ２の上面とのなす角度α２が大きくなりすぎた場合には、溝Ｖに対して、注入口３０の先端部分のみが入り込みやすくなってしまう。これにより、溝Ｖにガイド４の底部４０が嵌まらず、注入口３０が不安定な状態でパテ剤Ｐを溝Ｖに注入することになる。
【００７５】
この場合、やはり、溝Ｖに対して真っすぐにパテ剤を流し込めなくなくなり、溝Ｖの底部側（図６（ａ）の符号Ｘで示す箇所）にまでパテ剤Ｐが入らなくなってしまう。これにより、溝Ｖの中に隙間ができたり、後に硬化したパテ剤Ｐが割れたりする不具合が生じる。
【００７６】
また、注入口３０を形成する面の方向において、溝Ｖに対する注入口３０の位置がずれやすくなり、対象面における、溝のない位置（パテ剤で埋める必要のない箇所）に、パテ剤Ｐが吐出されてしまうこととなる（図６（ｂ）参照）。
【００７７】
このように、ガイド４で、注入部３を適切な角度で支持することにより、溝Ｖに対して、溝の底部までしっかりとパテ剤Ｐを注入できる。また、注入口３０を安定して溝Ｖに向けながら、溝Ｖに沿ってパテ剤Ｐを注入していくことができる。これにより、熟練度の低い作業者であっても、効率よく、かつ、正確に、溝Ｖにパテ剤Ｐを注入することが可能となる。
【００７８】
また、本発明の他の実施の形態として、上述した吐出装置Ａの構造につき、ガイド４が設けられていない注入部３をボトル本体２に取り付けた形態もある（図示省略）。本形態は、下地ボードの対象面に設けられたビス用の孔部に、パテ剤を注入する装置であり、ガイド４なしで、注入口３０を孔部に向け、真っすぐにパテ剤を注入することができる。
【００７９】
［電動スクレーパー］
図７には、電動スクレーパーＢの概略構造を示している。電動スクレーパーＢは、スクレーパー部５と、本体部６を有している。本体部６が図示しない電源供給部に接続され、図７中の符号Ｙで示す方向にスクレーパー部５が進退駆動するものとなる。
【００８０】
また、スクレーパー部５の先端には刃先部５０が形成されており、この刃先部５０が、溝に注入されて溢れた余分なパテ剤と接触して、溝の深さ以上に盛り上がったパテ剤を除去するものとなっている。
【００８１】
なお、電動スクレーパーＢは、本願請求項における切削装置の一例である。本発明においては、切削装置として、電動スクレーパーの他に、手動のスクレーパーや、電動サンダーを用いることができる。
【００８２】
［下地処理方法］
続いて、本発明を適用した下地処理方法の一例につき、図面を参照しながら内容を説明する。図８では、上述した吐出装置Ａを含む下地処理構造体を用いて、内装の下地処理を行う作業の概略を示している。
【００８３】
この、内装の下地処理では、壁紙（クロス）等を貼る前の、下地ボードの目地埋めを行う。下地ボードは、一定サイズのものが複数枚並べて配置されており、下地ボード同士の間の溝Ｖや、ビス用の孔部Ｃにパテ剤を充填して、下地を平坦化する。
【００８４】
まず、本方法では、吐出装置Ａ用いて、下地ボードＢ１及びＢ２の間の溝Ｖ、または、ビス用の孔部Ｃに、吐出装置Ａからパテ剤を注入する（図８の（１）参照）。また、パテ剤は、練り済みの「練りパテ」を、ボトル本体２に収容したものを使用する。
【００８５】
ここで、溝Ｖに対しては、ガイド４の底部４０を溝Ｖに嵌めて、注入部３を傾けた状態で、ガイド４で支持しながら、溝Ｖにパテ剤を注入する。また、ビス用の孔部Ｃに対して、ガイド４なしの注入部３を用いて、パテ剤を注入する（一層目のパテ塗り）。なお、一層目のパテ塗りの範囲を符号Ｐ１で示す。
【００８６】
次に、一層目のパテ剤が乾燥したら、電動スクレーパーＢで、溝Ｖから溢れた余分なパテ剤の盛り上がった箇所を電動スクレーパーＢで削る。
【００８７】
続いて、パテへら及びパテ盆を用いて、溝Ｖとその周辺部にパテ剤（練りパテ）を塗っていく（図８の（２）参照）。この際、下地ボードＢ１及びＢ２の上面の不陸をなくすように、パテへらで、平らにパテ剤を塗る（二層目のパテ塗り）。なお、二層目のパテ塗りの範囲を符号Ｐ２で示す。
【００８８】
次に、二層目のパテ剤が乾燥したら、サンドペーパーをかけて、パテへら及びパテ盆を用いて、二層目のパテ塗りの範囲よりも広範囲に、パテ剤（練りパテ）を塗っていく（図８の（３）参照）。なお、二層目のパテ塗りの範囲を符号Ｐ３で示す。
【００８９】
そして、三層目のパテ剤が乾燥したら、サンドペーパーをかけて、下地処理の終了となる。
【００９０】
本発明を適用した下地処理方法では、一層目のパテ塗りおいて、吐出装置Ａを用いている。そのため、溝Ｖや孔部Ｃに対して、効率よくかつ正確にパテ剤を注入することができる。
【００９１】
また、一層目のパテ塗りにおいては、乾燥時にパテ剤の水分がなくなり、一旦膨らんだパテ剤がへこんでしまう、所謂、パテがやせる現象が生じるが、本方法においては、溝Ｖに充分にパテ剤が注入されることから、パテがやせる現象を生じにくくすることができる。この結果、溝Ｖに対するパテ塗りを、２〜３回繰り返す必要がなくなり、全体の作業効率を大幅に向上させることができる。
【００９２】
また、吐出装置Ａの注入口３０を安定して、溝Ｖに向けてパテ剤を注入できるため、熟練度の低い作業者であっても、パテ塗りの作業を容易に行うことができる。
【００９３】
さらに、吐出装置Ａから、正確にパテ剤を注入することができるため、一層目のパテ塗りにおいて、溝Ｖ及びその周辺や、孔部Ｃの所望の位置にパテ剤を注入でき、不要な箇所に塗られるパテ剤の量を少なくすることができる。
【００９４】
そのため、一層目のパテ塗り後に、余分なパテ剤を除去する作業で、電動スクレーパーＢを用いることができる。電動スクレーパーＢは、局所的なパテ剤の除去に適しており、これにより、より一層、全体の作業効率を高めることができる。
【００９５】
さらに、一層目のパテ塗りの後の、余分なパテ剤の除去において、除去するパテ剤の量が減り、材料となるパテ剤の量を少なく抑えることができる。また、除去したパテ剤のかすが、作業環境中に飛散することを抑止できる。
【００９６】
なお、図９には、本発明による下地処理方法との比較のため、従前の下地処理方法の工程を概略的に示している。
【００９７】
図９（１）に示すように、従前の下地処理方法では、一層目のパテ塗りから、パテへら及びパテ盆を用いて、溝Ｖ及び孔部Ｃにパテ剤を塗るものとなる。そのため、溝Ｖの底部側まで、充分にパテ剤が入らず隙間ができ、パテがやせる現象が生じてしまう。
【００９８】
そうすると、二層目のパテ塗り（図９（２）参照）及び三層目のパテ塗り（図９（３）参照）の後に、へこんだパテを補うために、再度、Ｖ溝及びその周辺に、パテ塗りをする必要が生じる（図９（４）参照）。
【００９９】
また、従前の方法では、練りパテではなく、粉末パテに水を加えてパテを練る作業が必要となる。そのため、粉末パテを練る作業の分、本発明より更に手間がかかるものとなる。
【０１００】
このように、本発明を適用した下地処理方法は、従前の方法に比べて、溝Ｖや孔部Ｃといった目地に対して、効率よくかつ正確にパテ剤を注入することができる。また、パテがやせる現象が生じにくく、全体の作業効率を大幅に向上させることができる。また、熟練度の低い作業者であっても、パテ塗りの作業を容易に行うことができる。さらに、不要な箇所に塗られるパテ剤の量を少なくすることができる。
【０１０１】
以上のように、本発明の吐出装置、下地処理構造体及び下地処理方法は、構造物中のＶ字状の溝またはビス用の孔部に、簡易かつ正確にパテ剤を充填できると共に、作業効率を高めることができるものとなっている。
【符号の説明】
【０１０２】
Ａ      吐出装置
１      コーキングガン
１０    ホルダー部
１１    嵌合溝
１２    ハンドル
１３    解除ボタン
１４    レバー
２      ボトル本体
２１    ねじ溝
２２    開口部
３      注入部
３０    注入口
３１    テーパ状
３２    嵌合部
３３    フランジ
４      ガイド
Ｂ      電動スクレーパー
５      スクレーパー部
５０    刃先部
６      本体部
【要約】
【課題】構造物中のＶ字状の溝またはビス用の孔部に、簡易かつ正確にパテ剤を充填できると共に、作業効率を高めることができる吐出装置、下地処理構造体及び下地処理方法を提供する。
【解決手段】本発明を適用した吐出装置の一例である吐出装置Ａは、コーキングガン１と、ボトル本体２と、注入部３と、ガイド４を備えている。注入部３は、ボトル本体２の先端側に着脱自在に取り付けられ、ボトル本体２側から供給されるパテ剤を、外部に向けて排出する部材である。また、ガイド４は、注入部３と一体化した構造体であり、注入部３から溝に向けてパテ剤を注入する際に、注入部３を支持する部材である。
【選択図】図１【図１】
0006859002.tif 000002
【図２】
0006859002.tif 000003
【図３】
0006859002.tif 000004
【図４】
0006859002.tif 000005
【図５】
0006859002.tif 000006
【図６】
0006859002.tif 000007
【図７】
0006859002.tif 000008
【図８】
0006859002.tif 000009
【図９】
0006859002.tif 000010